(57)【要約】【課題】画像記録装置における記録系の紙ジャム処理を容易にする。【解決手段】装置本体２の下部に、その前方に引出し可能な給紙カセット３を備え、且つ該給紙カセットから給送された用紙がＵターン状の外径側搬送路体９を介して記録部７を通過して装置本体の前面に排出する。記録部７より上方に、原稿画像読取装置２２を備える。装置本体２の上面後側傾斜面には、記録部７の用紙搬送路が上から観察できる程度の大きい空間に連通する紙ジャム取り出し口４１が開口している。この紙ジャム取り出し口４１を覆う後カバー体３８は、その上部寄り部位のヒンジ部３９を介して装置本体２における上側部位４１ａの箇所に枢着されている。後カバー体３８を全開した状態では、その上側部位３８ａが略垂直状の下向き姿勢となり、下側部位３８ｂが垂直線よりも装置本体２の前寄りに傾斜（前傾）する姿勢となって、安定するものである。【選択図】図８
2008007325.tif 000002
【特許請求の範囲】
【請求項１】
装置本体の下部に設けられ積層収納された複数の被記録媒体を一枚づつ分離してＵターン経路に向けて所定の搬送方向に搬送する給紙部と、このＵターン経路を経て搬送された被記録媒体に画像を記録する記録部と、この記録部を経て搬送された被記録媒体を装置前方側へと排出する排出部と、前記記録部および前記排出部の上方に配置され、原稿を前記装置本体の後方側から前方側に搬送しつつ原稿の画像を読み取る読取面を備えた読取部と、を備えた画像記録装置であって、
前記装置本体の上面には、前記記録部の少なくとも一部を露出可能な開口部と、この開口部を閉塞する閉塞姿勢と開放する開放姿勢との間で回動可能な開閉扉と、が設けられていることを特徴とする画像記録装置。
【請求項２】
前記開閉扉は、前記開口部の後方側を閉塞する後方側扉体と、この後方側扉体と連接形成され前記開口部の前方側を閉塞する前方側扉体と、両扉体の境界部に設けられている回動部材と、からなり、前記回動部材が前記装置本体に支持されることで前記開閉扉は前記開口部に対して回動可能に構成されており、前記開閉扉が前記開放姿勢であるとき、前記後方側扉体は前記装置本体の外側に配置され、前記前方側扉体は前記装置本体の内側に配置されることを特徴とする請求項１に記載の画像記録装置。
【請求項３】
前記開閉扉が前記閉塞姿勢にあるときに、前記後方側扉体によって閉塞される前記開口部の部位を後方側開口部、前記前方側扉体によって閉塞される前記開口部の部位を前方側開口部、前記後方側開口部と隣接される前記装置本体の端部を後方側端部、前記前方側開口部と隣接される前記装置本体の端部を前方側端部としたとき、前記閉塞姿勢において、前記後方側扉体と前記後方側端部もしくは前記前方側扉体と前記前方側端部の少なくとも一方は、前記開閉扉が前記閉塞姿勢から前記開放姿勢に回動される回動方向において少なくとも一部が重ねられて配置される重合状態となるように形成され、前記後方側扉体と前記後方側端部とが前記重合状態であるとき、前記後方側扉体は前記後方側端部よりも前記回動方向において前方に配置され、前記前方側扉体と前記前方側端部とが前記重合状態であるとき、前記前方側扉体は前記前方側端部よりも前記回動方向において前方に配置されることを特徴とする請求項２に記載の画像記録装置。
【請求項４】
前記開閉扉が前記開放姿勢であるとき、前記前方側扉体は、前記境界部を通り前記装置本体が設置される設置面に対する鉛直線として設定される仮想直線よりも前記装置本体の前方側に配置されることを特徴とする請求項２または３に記載の画像記録装置。
【請求項５】
前記装置本体の上面の少なくとも一部は、前記装置本体の前方側から後方側に進むにつれて低くなる傾斜面であるように形成され、前記開口部は前記傾斜面を含む部位に形成されていることを特徴とする請求項１〜４のいずれかに記載の画像記録装置。
【請求項６】
前記回動部材は前記傾斜面に支持されることを特徴とする請求項５に記載の画像記録装置。
【請求項７】
前記Ｕターン経路において被記録媒体をＵターンさせる案内部材は、前記開閉扉より下方にて前記装置本体の後方側から着脱可能に設けられていることを特徴とする請求項１〜６のいずれかに記載の画像記録装置。
【請求項８】
前記読取部により画像が読み取られる原稿が載置される載置面を有し、前記装置本体の上面に倒伏する倒伏姿勢と、原稿を載置可能に起立する起立姿勢と、の間で回動可能な原稿給送トレイが前記装置本体の上面に備えられた画像記録装置であって、前記原稿給送トレイが前記倒伏姿勢であるとき、前記開閉扉は前記閉塞姿勢と前記開放姿勢との間で回動可能に構成されていることを特徴とする請求項１〜７のいずれかに記載の画像記録装置。
【発明の詳細な説明】
【技術分野】
【０００１】
本発明は、ファクシミリ装置、コピー装置、スキャナ装置等の画像記録装置に係り、より詳しくは紙ジャム処理の容易な画像記録装置の構成に関するものである。
【背景技術】
【０００２】
特許文献１に記載のファクシミリ装置では、本体ケースの上面のうち前寄り部位には、表面に操作パネル部が形成された操作部カバー体が前後方向に上下回動可能に設けられており、この操作部カバー体の下面側に画像読取部が設けられ、本体ケース内にはインクジェット式等の画像記録部（プリンタ部）が配置されている。操作パネル部の後部側には、原稿を載置して画像読取部に給送するための原稿トレイが前下がり状にて一体的に設けられている一方、本体ケースの後端には受信した画像などのデータを印刷して記録するための記録紙（用紙）を複数枚載置するための給紙トレイが、前下りの傾斜状（後方に行くに従って高くなる後傾状）に立設している。
【０００３】
特許文献１の構成では、読み取られた原稿及び印刷済みの記録紙は本体ケースの前方に開口する上下２段にて設けられた、原稿排出トレイ及び記録紙排出トレイに向かって排出される構成であり、記録部にて紙ジャムが発生すると、上記操作部カバー体を前方に大きく開くことにより本体ケースの上面に大きい開口部が形成され、記録部が見えるので、上記開口部から手を入れて、詰まった紙を除去可能となる。
【０００４】
また、特許文献２の画像記録装置のように、画像記録部が備えられた本体ケースの上面に対して画像読取部がそなえられた上部ケースが上向き開き可能に構成され、本体ケースの下部には、その前方向から挿入可能な給紙カセットが配置されており、Ｕターンパスを介して給送され、記録部で印刷された用紙を本体ケースの前部に開口した排出口から排出する構成のものがあり、本体ケースの後端には、Ｕターンパスの外径搬送路体（外側ガイド部材）が着脱可能に設けられているため、この外側ガイド部材を取り外すことにより、Ｕターンパスから記録部にかけて詰まった紙の除去が簡単にできるのである。
【特許文献１】特開２０００−３２１９５号公報（図１、図２及び図７参照）
【特許文献２】特開２００６−１０３９５４号公報（図２〜図８、図１１参照）
【発明の開示】
【発明が解決しようとする課題】
【０００５】
しかしながら、上記特許文献１の構成では、記録系の紙ジャム処理にあたって、画像読取部を含む操作カバー体を大きく前方に開く必要があり、他方、特許文献２の構成でも、上部ケースを開かないと、外径ガイド部材を取り外すことができないので、紙ジャムの処理に手間が掛かるとともに、記録系の紙ジャム処理中は、画像読取操作ができないという問題があった。
【０００６】
本願発明は、上記の従来の技術的課題を解決することを目的になされたものであって、記録系の紙ジャム処理を単独で実行することが可能であり、開いたカバー体（開閉扉）を係合させることなく、自立でき、且つ大きい開口部分を塞ぐことができるようにした画像記録装置を提供することを目的とするものである。
【課題を解決するための手段】
【０００７】
前記目的を解決するための請求項１に記載の発明の画像記録装置は、装置本体の下部に設けられ積層収納された複数の被記録媒体を一枚づつ分離してＵターン経路に向けて所定の搬送方向に搬送する給紙部と、このＵターン経路を経て搬送された被記録媒体に画像を記録する記録部と、この記録部を経て搬送された被記録媒体を装置前方側へと排出する排出部と、前記記録部および前記排出部の上方に配置され、原稿を前記装置本体の後方側から前方側に搬送しつつ原稿の画像を読み取る読取面を備えた読取部と、を備えた画像記録装置であって、
前記装置本体の上面には、前記記録部の少なくとも一部を露出可能な開口部と、この開口部を閉塞する閉塞姿勢と開放する開放姿勢との間で回動可能な開閉扉と、が設けられているものである。
【０００８】
請求項２に記載の発明は、請求項１に記載の画像記録装置において、前記開閉扉は、前記開口部の後方側を閉塞する後方側扉体と、この後方側扉体と連接形成され前記開口部の前方側を閉塞する前方側扉体と、両扉体の境界部に設けられている回動部材と、からなり、前記回動部材が前記装置本体に支持されることで前記開閉扉は前記開口部に対して回動可能に構成されており、前記開閉扉が前記開放姿勢であるとき、前記後方側扉体は前記装置本体の外側に配置され、前記前方側扉体は前記装置本体の内側に配置されるものである。
【０００９】
請求項３に記載の発明は、請求項２に記載の画像記録装置において、前記開閉扉が前記閉塞姿勢にあるときに、前記後方側扉体によって閉塞される前記開口部の部位を後方側開口部、前記前方側扉体によって閉塞される前記開口部の部位を前方側開口部、前記後方側開口部と隣接される前記装置本体の端部を後方側端部、前記前方側開口部と隣接される前記装置本体の端部を前方側端部としたとき、前記閉塞姿勢において、前記後方側扉体と前記後方側端部もしくは前記前方側扉体と前記前方側端部の少なくとも一方は、前記開閉扉が前記閉塞姿勢から前記開放姿勢に回動される回動方向において少なくとも一部が重ねられて配置される重合状態となるように形成され、前記後方側扉体と前記後方側端部とが前記重合状態であるとき、前記後方側扉体は前記後方側端部よりも前記回動方向において前方に配置され、前記前方側扉体と前記前方側端部とが前記重合状態であるとき、前記前方側扉体は前記前方側端部よりも前記回動方向において前方に配置されるものである。
【００１０】
請求項４に記載の発明は、請求項２または３に記載の画像記録装置において、前記開閉扉が前記開放姿勢であるとき、前記前方側扉体は、前記境界部を通り前記装置本体が設置される設置面に対する鉛直線として設定される仮想直線よりも前記装置本体の前方側に配置されるものである。
【００１１】
請求項５に記載の発明は、請求項１乃至４のいずれかに記載の画像記録装置において、前記装置本体の上面の少なくとも一部は、前記装置本体の前方側から後方側に進むにつれて低くなる傾斜面であるように形成され、前記開口部は前記傾斜面を含む部位に形成されているものである。
【００１２】
請求項６に記載の発明は、請求項５に記載の画像記録装置において、前記回動部材は前記傾斜面に支持されるものである。
【００１３】
請求項７に記載の発明は、請求項１乃至６のいずれかに記載の画像記録装置において、前記Ｕターン経路において被記録媒体をＵターンさせる案内部材は、前記開閉扉より下方にて前記装置本体の後方側から着脱可能に設けられているものである。
【００１４】
請求項８に記載の発明は、請求項１乃至７のいずれかに記載の画像記録装置において、前記読取部により画像が読み取られる原稿が載置される載置面を有し、前記装置本体の上面に倒伏する倒伏姿勢と、原稿を載置可能に起立する起立姿勢と、の間で回動可能な原稿給送トレイが前記装置本体の上面に備えられた画像記録装置であって、前記原稿給送トレイが前記倒伏姿勢であるとき、前記開閉扉は前記閉塞姿勢と前記開放姿勢との間で回動可能に構成されているものである。
【発明の効果】
【００１５】
上記の請求項１に記載の発明によれば、装置本体の下部に設けられ積層収納された複数の被記録媒体を一枚づつ分離してＵターン経路に向けて所定の搬送方向に搬送する給紙部と、このＵターン経路を経て搬送された被記録媒体に画像を記録する記録部と、この記録部を経て搬送された被記録媒体を装置前方側へと排出する排出部と、前記記録部および前記排出部の上方に配置され、原稿を前記装置本体の後方側から前方側に搬送しつつ原稿の画像を読み取る読取面を備えた読取部とを備え、前記装置本体の上面には、前記記録部の少なくとも一部を露出可能な開口部と、この開口部を閉塞する閉塞姿勢と開放する開放姿勢との間で回動可能な開閉扉と、が設けられているものであるから、この開口部を開閉扉にて開閉可能に覆っているので、この開閉扉を大きく開くだけで、画像記録系で発生した紙ジャムを簡単に処理することができる。
【００１６】
そして、開口部、開閉扉が、画像の読取部の原稿搬送通路とは別系統の箇所であるので、原稿つまりと記録系の用紙の詰まりの処理とを互いに干渉し合うことなく別個に処理できる。
【００１７】
請求項２に記載の発明によれば、前記開閉扉は、前記開口部の後方側を閉塞する後方側扉体と、この後方側扉体と連接形成され前記開口部の前方側を閉塞する前方側扉体と、両扉体の境界部に設けられている回動部材と、からなり、前記回動部材が前記装置本体に支持されることで前記開閉扉は前記開口部に対して回動可能に構成されており、前記開閉扉が前記開放姿勢であるとき、前記後方側扉体は前記装置本体の外側に配置され、前記前方側扉体は前記装置本体の内側に配置されるものであるので、開閉扉における後方側扉体が回動部材よりも下方に位置することにより、当該後方側扉体の一部が錘の役割を果たすから、不用意に開閉扉が閉じ方向に回動しないのである。従って、通常、回動可能な開閉扉を開いた状態に保持するためのストッパー機構も不要となる。
【００１８】
請求項３に記載の発明によれば、前記開閉扉が前記閉塞姿勢にあるときに、前記後方側扉体によって閉塞される前記開口部の部位を後方側開口部、前記前方側扉体によって閉塞される前記開口部の部位を前方側開口部、前記後方側開口部と隣接される前記装置本体の端部を後方側端部、前記前方側開口部と隣接される前記装置本体の端部を前方側端部としたとき、前記閉塞姿勢において、前記後方側扉体と前記後方側端部もしくは前記前方側扉体と前記前方側端部の少なくとも一方は、前記開閉扉が前記閉塞姿勢から前記開放姿勢に回動される回動方向において少なくとも一部が重ねられて配置される重合状態となるように形成され、前記後方側扉体と前記後方側端部とが前記重合状態であるとき、前記後方側扉体は前記後方側端部よりも前記回動方向において前方に配置され、前記前方側扉体と前記前方側端部とが前記重合状態であるとき、前記前方側扉体は前記前方側端部よりも前記回動方向において前方に配置されるものである。従って、重合状態となるように形成されているので、ホコリが入らない。
【００１９】
また、重合状態であるとき、前記後方側扉体は前記後方側端部よりも前記回動方向において前方に配置され、前記前方側扉体と前記前方側端部とが前記重合状態であるとき、前記前方側扉体は前記前方側端部よりも前記回動方向において前方に配置されるから、開閉扉が開放姿勢から閉塞姿勢に回動されるとき、開閉扉の回転が閉塞姿勢で止まる。回動しすぎない。閉塞状態が確実に保持される。
【００２０】
請求項４に記載の発明によれば、前記開閉扉が前記開放姿勢であるとき、前記前方側扉体は、前記境界部を通り前記装置本体が設置される設置面に対する鉛直線として設定される仮想直線よりも前記装置本体の前方側に配置されるものであるので、請求項２の構成と相まって、開閉扉の閉じ方向への不用意な回動を確実に防止できる。
【００２１】
請求項５に記載の発明によれば、前記装置本体の上面の少なくとも一部は、前記装置本体の前方側から後方側に進むにつれて低くなる傾斜面であるように形成され、前記開口部は前記傾斜面を含む部位に形成されているものであるので、開閉扉を全開したときには、開口部を介して装置本体内をその上方から観察することが容易にできると共に紙を取り出しやすいという効果を奏する。
【００２２】
請求項６に記載の発明によれば、前記回動部は前記開口部における後下がり傾斜面側に位置するものであるから、全開時における開閉扉の下片部を略垂直状にし、前方側扉体を垂直線よりも装置本体の前側に傾斜させた姿勢にすることが容易になる一方、開閉扉が不用意に閉じず、開口部が広く開放されるから紙を取り出しやすいという効果を奏する。
【００２３】
請求項７に記載の発明によれば、前記装置本体の後部には、前記Ｕターン経路の外径側搬送路体が前記開閉扉より下方にて着脱可能に設けられているものであるから、給紙カセットから記録部までに発生した紙ジャム処理が至極容易になるという効果を奏する。
請求項８に記載の発明によれば、原稿供給トレイが倒伏姿勢と起立姿勢との間で開閉回動可能に設けられているので、原稿供給トレイを倒伏姿勢にし、開閉扉を開放状態にすることによって、記録部のジャム処理ができる。原稿供給トレイと、開閉扉と、が上下に立体的に配置されるので、限られたスペース内に原稿供給トレイと、開閉扉と、を配置することができる。従って、省スペース化を図ることが可能であるという効果を奏する。
【発明を実施するための最良の形態】
【００２４】
次に、本発明を実施するための最良の形態について説明する。図１はファクシミリ装置の原稿給送トレイを起立させた状態の外観斜視図、図２は同後方斜視図、図３は同右側面図、図４は図１のIV−IV線矢視断面図、図５は同背面図、図６は原稿給送トレイを閉じて後ろカバー体を開いた状態の左側面図、図７は後ろカバー体を開き且つ給紙部の外径側搬送路体を外した状態の背面図、図８は図７の後方斜視図、図９は原稿給送トレイを閉じて後ろカバー体を開いた状態の側断面図、図１０は外径側搬送路体を外した状態の平面図である。
【００２５】
本発明のファクシミリ装置１の装置本体（ハウジング）２は合成樹脂製の射出成形品であり、図４及び図９に示すように、装置本体２の下部に画像記録部（以下、記録部という）７が備えられている。そして、装置本体２の底部のカセット収納部（収納空間）に対して、装置本体２の前側に開口された挿入口２ａから挿抜可能（実質上水平方向に出し入れ可能）な給紙カセット３が配置されている。以下、装置本体２の挿入口２ａがある側を前側または前方といい、これを基準に装置の前側、左右側、後側（奥側）という。
【００２６】
本実施形態では、給紙カセット３の挿抜方向を副走査方向（Ｙ軸方向）といい、後述するキャリッジ５が往復移動する方向を主走査方向（Ｘ軸方向）という（図１参照）。給紙カセット３は、例えばＡ４サイズ、レターサイズ、リーガルサイズ等にカットされた被記録媒体としての用紙が複数枚積層（堆積）されて収納できる収容部３ａを備えている。
【００２７】
給紙カセット３挿入方向の奥側端には、用紙分離用の傾斜分離板８が設けられ、この傾斜分離板８の上側に隣接して装置本体２の背面板に開口する下開口部２ｂには、側面視でＵターン状の搬送経路を形成するための外径側搬送路体９が着脱可能に配置されている（図２、図４、図５及び図７〜図９参照）。挿抜可能な給紙カセット３が設けられるかわりに、装置本体下部に、装置本体前方から被記録媒体を装填可能な収容空間が設けられた構成であってもよい。
【００２８】
装置本体２側には、給紙カセット３より上方に給紙手段としての給紙ローラ６ｂが設けられている。給紙手段における給紙アーム６ａの上端部に駆動軸３４を備え、この駆動軸３４を中心として上下方向に回動可能な給紙アーム６ａが装着されている。この給紙アーム６ａの下端に設けられた給紙ローラ６ｂと、傾斜分離板８における分離爪８ａとが協働することにより、給紙カセット３に堆積された被記録媒体である用紙Ｐが一枚ずつ分離給送される。そして、Ｕターン経路を形成するための外径側搬送路体９を介して、給紙カセット３の上方に配置された記録部７に用紙Ｐが配送されて画像記録された後、給紙カセットの上方の空間である排出部１０に記録済みの用紙Ｐが送られ、上記挿入口２ａと共通の排出口１０ａから装置本体２の外に排出される（図９参照）。なお、Ｕターン状の外径側搬送路体９は、その左右両側端部に一体的に設けられた弾性係合爪９ａを介して装置本体２の背面から取り外し可能に装着されており、給紙ローラ６ｂから後述するレジストローラ対１７までの間で発生した紙ジャムを除去できるようになっている（図５、図７〜図９参照）。
【００２９】
記録部７は、図９に示すように、上面開放された金属製枠状のメインフレーム１１における左右一対の側板（図示せず）にて支持され、Ｘ軸方向（主走査方向）に延びる横長の板状（プレート状）の第１ガイド部材１２、第２ガイド部材１３と、これら両ガイド部材１２、１３に跨がって摺動自在に支持（搭載）されて往復移動可能に構成されたキャリッジ５と、インクジェット式の記録ヘッド（図示せず）が下面に搭載されたキャリッジ５を往復移動させるために第２ガイド部材１３の上面にそれと平行状にて、プーリに巻回配置された無端ベルトとしてのタイミングベルト（図示せず）と、そのタイミングベルトを駆動するＣＲ（キャリッジ）モータ（実施形態ではＤＣモータであるが、ステッピングモータ等他のモータでもよい。図示せず）と、記録ヘッドの下面側にて搬送される用紙Ｐを支持する板状のプラテン１６と、主走査方向に沿って延びるように配置されてキャリッジ５のＸ軸方向（主走査方向）の位置とその方向の移動速度を検知するための光学式リニアエンコーダの構成部品であるテープスケール（図示せず）等を備える。なお、プラテン１６上で用紙Ｐが通過する方向での用紙搬送方向の上流側に、第１ガイド部材１２が配置され、下流側に第２ガイド部材１３が配置されることになる。
【００３０】
また、プラテン１６よりも搬送上流側には、搬送作用とレジスト作用を兼用させるレジストローラ対１７が配置されている。駆動ローラと従動ローラとからなるレジストローラ対１７は用紙Ｐを記録ヘッド４の下面のノズル面とプラテン１６との隙間に搬送する。プラテン１６よりも下流側には、用紙Ｐの上面に接する拍車と下面側の駆動する駆動ローラとからなる排紙ローラ対１８が配置されている。この排紙ローラ対１８により記録済みの用紙Ｐを排紙部１０へと搬送する。
【００３１】
装置本体２の上面のうち前寄り部位には、テンキー等の各種操作ボタン２０ａや液晶表示部２０ｂ等を備えた操作パネル部２０が設けられている。この操作パネル部２０は前下りの傾斜状に形成され、操作パネル部２０の前端部のヒンジ２１を介して装置本体２に対して上下開閉回動可能に枢着されている（図１、図４参照）。
【００３２】
画像読取装置２２は操作パネル部２０の下方の装置本体２内に配置されている。即ち、図４及び図９に示すように、装置本体２における記録部７より上方前部には、操作パネル部２０とほぼ平行状（前下りの傾斜状）に原稿搬送板２３が配置されており、原稿搬送板２３には、画像読取装置２２を構成する原稿給紙ローラ２４と原稿分離板（分離パッド）２５と、原稿搬送ローラ対２６と原稿読取のためのイメージスキャナ２７とその下流側の原稿排出ローラ対２８とが、原稿の搬送方向（給送方向）の上流側から下流側に向けて順に配置されている。イメージスキャナ（密着型イメージセンサ、ＣＩＳ：Contact Ima-ge Sensor ）２７は、図９の紙面と直交する方向（主走査方向、Ｘ軸方向）に長いＣＣＤ素子（固体撮像素子）等にて構成されている。イメージスキャナ２７が本発明におけるコピー機能やファクシミリ機能における原稿読取などのための読取部に相当する。
【００３３】
原稿搬送板２３は操作パネル部２０の下面側にて上流側に延設されており、操作パネル部２０と原稿搬送板２３との隙間が原稿導入口２９となる。原稿排出ローラ対２８の下流側には装置本体２の前面に開口する原稿排出口３０が形成され、これに続いて、装置本体２の前方に延びる原稿排出トレイ３１が上下回動可能に設けられている。上記原稿給紙ローラ２４の上面に対向する原稿分離板（分離パッド）２５と、原稿搬送ローラ対２６の従動ローラ（ピンチローラ）と、原稿排出ローラ対２８の従動ローラ（ピンチローラ）と、イメージスキャナ２７の上面に対向する原稿押圧板３２とは、操作パネル部２０の下面側に取付けられている。
【００３４】
原稿搬送板２３の頂点部分等の装置本体２には、複数枚の原稿Ｇを載置するための原稿給送トレイ３３の基端部がヒンジ３４を介して前後開閉回動可能に枢着されている（図４及び図９参照）。原稿給送トレイ３３は、図９のごとく、原稿導入口２９及び画像読取装置１２が下面側に配置された操作パネル部２０の上面全体を覆う倒伏姿勢倒伏姿勢と、図１及び図９のごとく、起立姿勢とに選択的に回動可能に構成されている。これにより、原稿給送トレイ３３は、読取るべき原稿Ｇを載置する原稿載置部としての機能と、不使用時に原稿導入口２９及び操作パネル部２０の上面を覆って埃よけとしての機能とを兼用させることができるものである。
【００３５】
なお、原稿排出トレイ３１は透明な樹脂板にて形成されており、この原稿排出トレイ３１を上向き回動させて、操作パネル部２０の上面とほぼ平行になるように折り畳むことができ、その後、原稿給送トレイ３３を上記折り畳んだ原稿排出トレイ３１の上面とほぼ平行になるように倒伏姿勢を採ることができる。そして、原稿給送トレイ３３の中央部に穿設形成された窓部３３ｂを通して、操作パネル部２０における液晶表示部２０ｂを観察することができるものである。この窓部３３ｂは有していなくても良い。
【００３６】
原稿給送トレイ３３の側断面形状は、原稿Ｇの給送方向の中途部（境界部）で鈍角状（角度θ１が１２０度〜１４５度程度）に屈曲形成されているものである。装置本体２の側面視において、起立姿勢の原稿給送トレイ３３の上端は装置本体２の後端よりも前側に位置するものとし、起立姿勢の原稿給送トレイ３３の上面に載置された原稿Ｇの給送方向の中途部が自重により湾曲しても、その湾曲中途部が原稿給送トレイ３３の上面の屈曲中途部３３ａに当接しないから、原稿給送トレイ３３の側断面が下向き凸湾曲形成されている場合に比べて、また、原稿給送トレイ３３の表面（上面に給紙方向に細長いリブを形成しなくても、原稿Ｇの給送時の搬送抵抗（摺接抵抗）を低減することができる。なお、原稿搬送板２３には、原稿導入口２９の近傍に、原稿Ｇの左右両側縁を案内する一対の側ガイド板３５が設けられている（図１参照）。
【００３７】
装置本体２の上面一側部位（原稿給送トレイ３３の配置位置の一側方）には、コードレス式のハンドセット３６（テンキー等の操作ボタン付き）を起立状態で収納可能なハンドセット置き台３７が凹み形成され、装置本体２の側面視において、ハンドセット置き台３７にて起立状態で収納されたハンドセット３６が起立姿勢の原稿給送トレイ３３よりも前側に位置するように設けられているものである（図１、図２、図３及び図４参照）。なお、ハンドセット置き台３７内には、ハンドセット３６に対する充電器（図示せず）が設けられている。
【００３８】
図１０に示すように、開閉扉３８を全開すると、上部からプラテン１６を見ることができる。開閉扉３８には開閉扉を開く時に指をかける指かけ部４６が形成されている。また、開閉扉３８には装置本体側に設けられた係合部４３ｂに係合される係合爪４３ａが設けられている。さらに、開閉扉３８には装置本体側に設けられた開閉センサ４４に対応して突起４５が設けられている。さらに、装置本体側にバックアップ用電池４７が設けられており、開閉扉３８が開放状態であるとき、このバックアップ電池４７が取り外し可能である。
【００３９】
次に、記録部７の近傍で発生した紙ジャムを処理するための構成について説明する。装置本体２の上面後側は後下り傾斜状に形成されており、その左右中央部の後側（原稿給送トレイ３３の配置位置より後側）は記録部７の用紙搬送路が上から観察できる程度の大きい空間４０（図９参照）が形成されている。この空間４０に連通する紙ジャム取り出し口４１（開口部）は、上側部位（前方側扉体３８ａに対応する）４１ａの横巾寸法Ｗ１が短く、下側部位（後方側扉体３８ｂに対応する）４１ｂの横巾寸法Ｗ２が長い段付き状に形成されている（図５、図７参照）。また、上側部位４１ａの傾斜角度は大きく、下側部位４１ｂはほぼ水平状の後下向き略四分の一円弧状に形成されている（図２参照）。紙ジャム取り出し口４１を覆う後カバー体３８は、その上部寄り部位のヒンジ部（可動部材）３９を介して装置本体２における上記上側部位４１ａの箇所に枢着されている。従って、後カバー体３８も、その上側部位（前方側扉体）３８ａの巾寸法が短く、下側部位（後方側扉体）３８ｂの巾寸法が長い段付き状であり（図５、図８参照）、後カバー体３８にて紙ジャム取り出し口４１を全閉できるように形成されている。
【００４０】
この後カバー体３８を全開した状態では、その上側部位３８ａ（請求項の前方側扉体に相当）が略垂直状の下向き姿勢となり、下側部位３８ｂ（請求項の後方側扉体に相当）が垂直線よりも装置本体２の前寄りに傾斜（前傾）する姿勢（前記後方側扉体と前方側扉体との境界部を通り装置本体が設置される設置面に対する鉛直線として設定される仮想直線Ｓよりも前方に傾き、安定するものである（図８及び図９参照）。即ち、全開状態で、後カバー体３８における上側部位３８ａがヒンジ部３９よりも下方に位置することにより、上側部位３８ａの一部が錘の役割を果たすと共に、上位置となる下側部位３８ｂの前傾姿勢とが相まって、不用意に後カバー体３８が閉じ方向に回動しないのである。
【００４１】
なお、後カバー体３８における上側部位３８ａの内面の一側部には全閉時にロックする係合爪４３と装置本体２側に設けられて全閉状態を検知する光遮断式センサ４４に接近する被検査片４５とが設けられている（図７及び図８参照）。
【００４２】
上記の構成により、ファクシミリ装置１の待機状態もしくは使用状態では図１に示すように、操作パネル部２２の上面から開いた原稿給送トレイ３３を起立姿勢となるように立ち上げると、当該原稿給送トレイ３３の上端部は装置本体２の後端面よりも前側に位置するから（図４参照）、ファクシミリ装置１の装置本体２の後端面を室の壁等に密接させた状態でも使用可能となる。
【００４３】
そして、上述したように、原稿給送トレイ３３の原稿給送方向中途部を鈍角状に屈曲形成したことと、起立姿勢の原稿給送トレイ３３の上部側の水平に対する角度θ２が７０度程度に大きいことから（図４参照）、当該原稿給送トレイ３３に原稿を載置した場合に、その中途部が自重により湾曲しても、その湾曲中途部が原稿給送トレイ３３の上面の屈曲中途部３３ａに当接しないから、原稿の給紙時の摺接抵抗を少なくして、紙ジャムの発生を防止できる。さらに、上記屈曲中途部３３ａの存在により、前下り傾斜状の伏せ姿勢で操作パネル部２０の上面を原稿給送トレイ３３の直線部分（起立姿勢の原稿給送トレイ３３の上部側）にて覆うときに、操作パネル部２０との間に無駄な空間を生じさせない。
【００４４】
さらに、装置本体２の側面視において、起立姿勢の原稿給送トレイ３３は、同じく起立姿勢のハンドセット３６より後方に位置するので、ユーザーがハンドセット３６をハンドセット置き台３７から取り上げるときや置くときにユーザーの指が原稿給送トレイ３３の側部と干渉することがなく、円滑な取り扱いが可能になる。
【００４５】
他方、紙ジャムが給紙カセット３からＵターン経路の箇所で発生した場合には、上述の外径側搬送路体９を装置本体２の背面から外し（図８参照）、下開口部２ｂを開放することにより、詰まった用紙を除去することができる。その場合、外径側搬送路体９の巾寸法が使用する用紙の巾寸法より大きいので、紙の除去作業が極めて容易にできる。
【００４６】
記録部７を含む用紙搬送路で紙ジャムが発生した場合には、上記の原稿給送トレイ３３を前側に倒した後、後カバー体３８を大きく開くことにより、大きい紙ジャム取り出し口４１及び内部の空間４０を介して上方からプラテン１６の上面箇所を観察したり、詰まった紙を除去することが容易にできるのである。全開状態では、後カバー体３８における上側部位３８ａがヒンジ部３９よりも下方に位置することにより、上側部位３８ａの一部が錘の役割を果たすから、不用意に後カバー体３８が閉じ方向に回動しないのである。従って、通常、回動可能な後カバー体３８を開いた状態に保持するためのストッパー機構も不要となる。
【００４７】
また、紙ジャム取り出し口４１、後カバー体３８及び装置本体２内の空間４０が、画像読取装置２２の原稿搬送通路とは別系統の箇所であるので、原稿つまりと記録系の用紙の詰まりの処理とを互いに干渉し合うことなく別個に処理できる。
【００４８】
本発明は、ファクシミリ装置ばかりでなく、コピー装置や画像スキャナ装置にも適用できることはいうまでもない。
【図面の簡単な説明】
【００４９】
【図１】ファクシミリ装置の原稿給送トレイを起立させた状態の外観斜視図である。
【図２】同後方斜視図である。
【図３】同右側面図である。
【図４】図１のIV−IV線矢視断面図である。
【図５】同背面図である。
【図６】原稿給送トレイを閉じて後ろカバー体を開いた状態の左側面図である。
【図７】後ろカバー体を開き且つ給紙部の外径側搬送路体を外した状態の背面図である。
【図８】図７の後方斜視図である。
【図９】原稿給送トレイを閉じて後ろカバー体を開いた状態の側断面図である。
【図１０】後ろカバー体を開き且つ給紙部の外径側搬送路体を外した状態の平面図である。
【符号の説明】
【００５０】
１    ファクシミリ装置
２    装置本体
２ａ  挿入口
３    給紙カセット
７    記録部
８    傾斜分離板
９    外径側搬送路体
１６    プラテン
２０    操作パネル部
２２    画像読取装置
３３    原稿給送トレイ
３６    ハンドセット
３７    ハンドセット置き台
３８    後カバー体
３９    ヒンジ部
４０    空間
４１    紙ジャム取り出し口
４３    係合爪
【図１】
2008007325.tif 000003
【図２】
2008007325.tif 000004
【図３】
2008007325.tif 000005
【図４】
2008007325.tif 000006
【図５】
2008007325.tif 000007
【図６】
2008007325.tif 000008
【図７】
2008007325.tif 000009
【図８】
2008007325.tif 000010
【図９】
2008007325.tif 000011
【図１０】
2008007325.tif 000012